(57)【特許請求の範囲】
【請求項１】
一端がごみの投入部、他端がごみの排出部に形成され、ごみを振動によって該投入部から排出部へ搬送する上下２段の搬送通路を有し、上記上段の搬送通路は、所定の大きさのごみが落下可能な開口を有する一次選別手段で構成され、また、上記下段の搬送通路の搬送面上に、排出部側に向けて上方に傾斜した傾斜面を有する二次選別手段が設けられたことを特徴とするごみ選別装置。
【請求項２】
前記一次選別手段は、排出部側が開放された櫛状体で構成された請求項１記載のごみ選別装置。
【請求項３】
前記櫛状体の上面には、のこ歯状に突起が設けられてなる請求項２記載のごみ選別装置。
【請求項４】
前記櫛状体の上方には、該櫛状体の各櫛間に挟まったごみを排出部側に送る送り補助装置が設けられた請求項２又は３記載のごみ選別装置。
【請求項５】
前記送り補助装置は、前記櫛間へ入り込む揺動アームで構成された請求項４記載のごみ選別装置。
【請求項６】
前記二次選別手段は、傾斜面の角度が調節自在に構成された請求項１、２、３、４又は５記載のごみ選別装置。
【発明の詳細な説明】
【０００１】
【発明の属する技術分野】
本発明は、破砕したごみを選別するごみ選別装置に関する。
【０００２】
【従来の技術】
従来、特開平５−９６２４３号公報記載のものに見られるように、振動コンベアを構成するごみ搬送通路の中間高さ位置にスクリーンを設け、スクリーンに形成された網目を通過するごみを小径の不燃物とみなして下側空間部に導くとともに、スクリーンを通過しない上側空間部のごみを風力選別により可燃物と不燃物とに分離するごみ分離装置が開示されている。
【０００３】
【発明が解決しようとする課題】
しかしながら、上記従来のごみ分離装置では、スクリーンに形成された網目を通過するごみを一括して不燃物とみなしているため、このごみのなかには可燃物などの小さいごみも含まれることになり、後の工程での選別作業が煩雑になるという問題があった。特に、予めごみを破砕したものを選別する場合には、ごみ全体が小さく破砕されているため、スクリーンに形成された網目を通過するごみも多くなり、後の工程での選別作業がさらに煩雑になるという問題があった。
【０００４】
【課題を解決するための手段】
本発明の請求項１記載のゴミ選別装置は、一端がごみの投入部、他端がごみの排出部に形成され、ごみを振動によって該投入部から排出部へ搬送する上下２段の搬送通路を有し、上記上段の搬送通路は、所定の大きさのごみが落下可能な開口を有する一次選別手段で構成され、また、上記下段の搬送通路の搬送面上に、排出部側に向けて上方に傾斜した傾斜面を有する二次選別手段が設けられたものである。
【０００５】
本発明の請求項２記載のごみ選別装置において、前記一次選別手段は、排出部側が開放された櫛状体で構成されたものである。
【０００６】
本発明の請求項３記載のごみ選別装置において、前記櫛状体の上面には、のこ歯状に突起が設けられてなる。
【０００７】
本発明の請求項４記載のごみ選別装置において、前記櫛状体の上方には、該櫛状体の各櫛間に挟まったごみを排出部側に送る送り補助装置が設けられている。
【０００８】
本発明の請求項５記載のゴミ選別装置において、前記送り補助装置は、前記櫛間へ入り込む揺動アームで構成されたものである。
【０００９】
本発明の請求項６記載のごみ選別装置において、前記二次選別手段は、傾斜面の角度が調節自在に構成されたものである。
【００１０】
【発明の実施の形態】
以下、本発明の実施の形態を図面を参照して説明する。
【００１１】
図１は、本発明のごみ選別装置の概略の全体構成を示している。
【００１２】
このごみ選別装置は、上下２段の搬送通路を有するもので、上段の搬送通路は櫛状体（一次選別手段）１で構成され、下段の搬送通路は上記櫛状体１よりも長い搬送面２で構成され、該搬送面２に傾斜板（二次選別手段）３が設けられている。
【００１３】
このように構成された搬送通路は、一端がごみを投入する投入部Ａに形成されるとともに、他端がごみを排出する排出部Ｂに形成されている。
【００１４】
前記搬送面２は、装置本体に設けられた加振装置２１による加振運動で振動され、この振動によりごみを排出部Ｂ側に搬送する。
【００１５】
前記櫛状体１は、図２に示すように、本体部１１から複数本のロッド１２が延設された櫛状に形成されたもので、これらロッド１２が排出部Ｂ側に略水平に延設配置されている。
【００１６】
隣接する各ロッド１２の間隔Ｈは、後述する搬送コンベア４３により櫛状体１に搬入されるびんのかけら等の特定ごみが通過可能な大きさに設定されている。
【００１７】
この櫛状体１は、前記加振装置２１を設けた装置本体に連設されており、該加振装置２１による加振運動で前記搬送面２とともに振動され、この振動によって櫛状体１に支持したごみを排出部Ｂ側であるロッド１２の先端に搬送する。
【００１８】
また、櫛状体１の前記ロッド１２の上面には、複数の突起１２ａがのこ歯状に設けられている。この突起１２ａは、図１及び図３のような先端が尖ったものに限らず、先端が平坦に形成されているものでもよい。
【００１９】
前記本体部１１の上方は、図１に示すように前記投入部Ａになされており、該投入部Ａにホッパ４が設けられている。
【００２０】
ホッパ４の上部投入口４１には搬送コンベア４３の搬出端が配置され、搬送コンベア４３から搬出されたごみを下部に形成された排出口４２から櫛状体１の本体部１１上に投入する。
【００２１】
搬送コンベア４３は、図示しない破砕機で破砕したごみを搬送するもので、破砕機によりびんなども破砕され、この破砕されたびんのかけら等の特定ごみも他のごみと共に搬送される。
【００２２】
前記傾斜板３は、図３に示すように、前記櫛状体１の下方に配置されており、その上面が排出部Ｂ側にかけて上方に傾斜した傾斜面３１に形成されている。
【００２３】
この傾斜板３には、該傾斜面３１の傾斜角度を可変にする調整リンク３２の一端が枢支されており、調整リンク３２の他端が装置本体に形成された円弧状の長孔３３に摺動自在に嵌入されている。
【００２４】
前記傾斜板３の下端と対峙する搬送面２の部位には、開口２２が形成されており、傾斜板３の傾斜面３１を下端に滑ったごみが開口２２からシュート２３を介して第１搬出コンベア２４に排出されるように構成されている。
【００２５】
また、前記排出部Ｂとなる搬送面２の搬出端の下方には第２搬出コンベア２５が設けられている。この第２搬出コンベア２５は、搬送面２の搬出端から排出されたごみを後続のごみ選別作業場に搬送する。
【００２６】
さらに、前記櫛状体１の上方には、送り補助装置５が設けられている。
【００２７】
送り補助装置５は、図３及び図４に示すように、複数本の揺動アーム５１と、該複数本の揺動アーム５１を駆動させる駆動装置６とから構成されている。
【００２８】
上記揺動アーム５１は、下方に向かって鉤状に屈折形成されたもので、上記駆動装置６により櫛状体１のロッド１２の延設方向に往復動可能に、且つその先端部が櫛状体１のロッド１２間に挿入可能に構成されている。
【００２９】
前記駆動装置６は、ガイドレール６１に沿って前記櫛状体１のロッド１２と平行に往復運動自在に設置された支持台６２と、該支持台６２の前後に軸支され、前記揺動アーム５１の基端が固設された２本の軸部材６３，６３と、該２本の軸自在６３を介して揺動アーム５１を上下に揺動させる揺動シリンダ６４と、上記支持台６２に連結された往復駆動手段６５とから構成されている。
【００３０】
前記揺動シリンダ６４は、その伸縮ロッドが連結アーム６４ａを介して前記２本の軸部材６３、６３に連結されており、これら揺動シリンダ６４を同調させて伸縮作動させることにより各軸部材６３に設けた複数本の揺動アーム５１が連動して上下方向に揺動する。
【００３１】
前記往復駆動手段６５は、図１に示すモータ６６ａによって水平回転する回転体６６の先端部と支持台６２とを連結ロッド６７で連結し、回転体６６の回転運動を連結ロッド６７を介して往復運動に変換するものが用いられている。
【００３２】
このように構成された送り補助装置５の揺動アーム５１は、前述した揺動シリンダ６４と往復駆動手段６５とによって、以下に示す▲１▼〜▲５▼の行程を１サイクルとして連続して滑らかに運動する。
【００３３】
▲１▼  最も投入部Ａ側に近づく最前方において最上方に回動配置される行程（図１実線参照）。
【００３４】
▲２▼上記最上方から最下方に揺動して櫛状体１のロッド１２間に挿入する行程（図１二点鎖線参照）。
【００３５】
▲３▼上記最下方を保持して最も排出部Ｂ側に近づく最後方に移動する行程（図３二点鎖線参照）。
【００３６】
▲４▼上記最後方において、最下方から最上方に揺動する行程。
【００３７】
▲５▼上記最上方を保持して上記最後方から前記最前方に移動する行程。
【００３８】
次に、上述のように構成されたごみ選別装置の動作について説明する。
【００３９】
予め破砕機で破砕されたごみは、搬送コンベア４３によってホッパ４に搬出され、該ホッパ４の排出口４２から櫛状体１上に搬入される。
【００４０】
櫛状体１では、各ロッド１２上で破砕ごみを支持し、加振装置２１の振動により破砕ごみを支持しながら先端側（排出部Ｂ側）に搬送する。この際、各ロッド１２上には突起１２ａがのこ歯状に設けられているため、該突起１２ａ上で破砕ごみを支持しており、前記加振装置２１の振動により破砕ごみを有効にほぐすことができる。
【００４１】
そして、ロッド１２の間隔Ｈよりも小さい破砕ごみは、該ロッド１２間を通過して下方の搬送面２に設けられた傾斜板３上に落下する。
【００４２】
また、ロッド１２の間隔Ｈよりも大きい破砕ごみは、該ロッド１２上で支持されながら先端に搬送され、該先端から下方の搬送面２に落下する。
【００４３】
そして、上記傾斜板３に落下した破砕ごみは、搬送面２の振動に伴う傾斜板３の振動により該傾斜面３１上を登るようにして排出部Ｂ側に搬送される。この時、比重が大きくて摩擦力の小さいごみ、例えばびんのかけら等の特定ごみは、傾斜面３１を登ることなく、下端側に滑り落ち、この下端に形成された開口２２からシュート２３を介して第１搬出コンベア２４に排出される。
【００４４】
また、これら以外のごみは、傾斜面３１を登って搬送面２に落ち、前記櫛状体１の先端から落下した破砕ごみとともに、加振装置２１の振動により搬送面２上を排出部Ｂに搬送され、該排出部Ｂから第２搬出コンベア２５に排出される。
【００４５】
このように傾斜板３によって、比重が大きくて摩擦力の小さいびんのかけら等の特定ごみを効率良く選別することができ、後の選別作業を容易に行うことができる。上記びんのかけら等の特定ごみを予めごみの中から取り除くのは、ごみの中にびんのかけら等の特定ごみが混入していると、後に行う不燃物や可燃物との選別作業において、作業者の安全上の問題や、風力選別装置などによる選別精度の低下を招き、作業が煩雑になるからである。
【００４６】
ここで、櫛状体１上で破砕ごみが搬送される際において、櫛状体１のロッド１２間に破砕ごみが挟まって搬送されないことが起こる。
【００４７】
この場合には、前述した選別動作とともに作動している送り補助装置５によってロッド１２間に挟まった破砕ごみを強制的に搬送する。詳しくは、揺動アーム５１が前述した▲１▼〜▲５▼の行程を１サイクルとして連続して滑らかに運動していることにより、揺動アーム５１の先端部でロッド１２間に挟まった破砕ごみを強制的に先端側に送り、櫛状体１上における破砕ごみの円滑な搬送を行う。
【００４８】
このようにロッド１２間に挟まった破砕ごみを強制的に送ることで、装置の作動を中断させることなく、効率良く作業を行うことができる。
【００４９】
また、調整リンク３２の他端位置を変えることで、傾斜板３の傾斜角度を変えることができ、櫛状体１から落下する破砕ごみの状況に応じて最適な選別ができるように設定することができる。
【００５０】
なお、本実施の形態では、一次選別手段を櫛状体で構成したものを示したが、一次選別手段は櫛状体に限らす、所定の大きさの破砕ごみが落下可能な部材、例えば複数の通孔を備えた部材などで構成しても良い。
【００５１】
【発明の効果】
以上述べたように、本発明の請求項１記載のごみ選別装置によれば、上段の搬送通路を一次選別手段で構成するとともに、下段の搬送通路の搬送面に、排出部側に向けて上方に傾斜した傾斜面を有する二次選別手段を設けたことで、この二次選別手段の傾斜面によって、比重が大きくて摩擦力の小さいびんのかけら等の特定ごみを効率良く選別することができ、後の選別作業を容易に行うことができる。
【００５２】
本発明の請求項２記載のごみ選別装置によれば、一次選別手段を排出部側が開放された櫛状体で構成したことで、該櫛状体の振動に伴いごみのかけらなどの小さいごみを確実に下方の二次選別手段に落下させることができ、該二次選別手段による選別精度の向上を図ることができる。
【００５３】
本発明の請求項３記載のごみ選別装置によれば、櫛状体の上面にのこ歯状に突起を設けたことで、櫛状体上で支持するごみを有効にほぐすことができ、櫛状体上においてごみを円滑に搬送することができる。
【００５４】
本発明の請求項４記載のごみ選別装置によれば、前記櫛状体の上方に送り補助装置を設けたことで、各櫛間にごみが挟まった場合には、自動的にごみを送り方向に強制的に送り、櫛状体上においてごみをさらに円滑に搬送することができ、これにより装置の作動を中断させることなく、効率良く作業を行うことができる。
【００５５】
本発明の請求項５記載のごみ選別装置によれば、送り補助装置を櫛間へ入り込む揺動アームで構成したことで、この揺動アームの揺動により櫛間に挟まったごみを確実に送り方向に送ることができ、より円滑な搬送を行うことができる。
【００５６】
本発明の請求項６記載のごみ選別装置によれば、二次選別手段の傾斜面の角度を調節自在に構成し、ごみの状況に応じて傾斜面の角度を調整することで、二次選別手段によるびんのかけら等の特定ごみをさらに効率良く選別することができる。
【図面の簡単な説明】
【図１】本発明のごみ選別装置の全体の概略構成を示す側面図である。
【図２】櫛状体の構成を示す平面図である。
【図３】傾斜板及び送り補助装置の構成を示す側面図である。
【図４】送り補助装置の構成を示す平面図である。
【符号の説明】
１  櫛状体（一次選別手段）
１２  ロッド
１２ａ  突起
２  搬送面
３  傾斜板（二次選別手段）
３１  傾斜面
３２  調整リンク
５  送り補助装置
５１  揺動アーム
【図１】
0003544424.tif 000002
【図２】
0003544424.tif 000003
【図３】
0003544424.tif 000004
【図４】
0003544424.tif 000005